(57)【要約】【課題】より小型化された筐体で生体認証に用いる複数の身体的特徴を取得することが可能する。【解決手段】少なくとも２つの異なる波長帯に属する光を照射する光源と、前記２つの異なる波長帯に属する光から個別に信号を取得する撮像素子と、を備え、前記２つの異なる波長帯は、皮膚紋理認証に用いられる４００〜５８０ｎｍの第１の波長帯と、静脈認証に用いられる６５０ｎｍ以上の主に近赤外線を含む第２の波長帯とを含む、撮像装置が提供される。【選択図】図１
2018033505.tif 000002
【特許請求の範囲】
【請求項１】
少なくとも２つの異なる波長帯に属する光を照射する光源と、
前記２つの異なる波長帯に属する光から個別に信号を取得する撮像素子と、
を備え、
前記２つの異なる波長帯は、皮膚紋理認証に用いられる４００〜５８０ｎｍの第１の波長帯と、静脈認証に用いられる６５０ｎｍ以上の主に近赤外線を含む第２の波長帯とを含む、
撮像装置。
【請求項２】
前記撮像素子は、前記光源から照射され、被認証オブジェクトにより反射される光から信号を取得する、
請求項１に記載の撮像装置。
【請求項３】
前記光源と前記撮像素子とは、被認証オブジェクトに対し同一側に配置される、
請求項１に記載の撮像装置。
【請求項４】
前記光源は、前記第１の波長帯に属する光と前記第２の波長帯に属する光を同時に照射する、
請求項１に記載の撮像装置。
【請求項５】
前記光源は、前記第１の波長帯に属する光を発光する発光素子と、
前記発光素子から発せられる光により励起され前記第２の波長帯に属する光を発光する発光体と、
を有する、
請求項１に記載の撮像装置。
【請求項６】
前記光源は、前記第１の波長帯に属する光と前記第２の波長帯に属する光とを時間差で照射する、
請求項１に記載の撮像装置。
【請求項７】
前記撮像素子は、カラーフィルタもしくは誘電多層膜のいずれか、または双方を備えない、
請求項６に記載の撮像装置。
【請求項８】
前記撮像素子は、第１の光電変換部と第２の光電変換部とを備え、
前記第１の光電変換部は、前記第１の波長帯に属する光を電気信号に変換し、
前記第２の光電変換部は、前記第２の波長帯に属する光を電気信号に変換する、
請求項１に記載の撮像装置。
【請求項９】
前記第１の光電変換部および前記第２の光電変換部は、撮像面に対し垂直方向に積載される、
請求項８に記載の撮像装置。
【請求項１０】
前記第１の光電変換部および前記第２の光電変換部は、撮像面に対し水平方向に配置される、
請求項８に記載の撮像装置。
【請求項１１】
前記第１の光電変換部に光を集光する第１の結像レンズと、
前記第２の光電変換部に光を集光する第２の結像レンズと、
をさらに備え、
前記第１の結像レンズと前記第２の結像レンズは、互いに異なる光学的特徴を有する、
請求項１０に記載の撮像装置。
【請求項１２】
前記撮像素子と被認証オブジェクトとの間に配置される透明基板、
をさらに備える、
請求項１に記載の撮像装置。
【請求項１３】
前記透明基板は、少なくとも１つ以上の遮光膜を備え、
前記遮光膜は、前記撮像素子の撮像面に対し垂直方向に配置される、
請求項１２に記載の撮像装置。
【請求項１４】
前記遮光膜は、前記撮像面に対し水平方向に配置され、
前記水平方向に配置される遮光膜は、少なくとも１つ以上のピンホールを有する、
請求項１３に記載の撮像装置。
【請求項１５】
前記撮像素子に結像する少なくとも１つ以上の結像レンズ、
をさらに備え、
前記結像レンズは、前記撮像素子と前記透明基板の間に配置される、
請求項１２に記載の撮像装置。
【発明の詳細な説明】
【技術分野】
【０００１】
本開示は、撮像装置に関する。
【背景技術】
【０００２】
近年、個人認証に人間の身体的特徴を利用する生体認証技術が普及している。例えば、非特許文献１には、散乱光を用いた指紋認証技術が開示されている。また、近年では、単一の装置で複数の身体的特徴を取得し、当該複数の身体的特徴に基づいて生体認証を行う装置がある。例えば、特許文献１には、指紋データと静脈データを取得し、当該静脈データに基づいて指紋データの位置ずれを補正し、補正後の指紋データを用いて生体認証を行う個人識別装置が開示されている。
【先行技術文献】
【特許文献】
【０００３】
【特許文献１】特開２００８−１９８０８３号公報
【非特許文献】
【０００４】
【非特許文献１】Ｉｃｈｉｒｏ  Ｆｕｊｉｅｄａ  ａｎｄ  Ｈｉｒｏｓｈｉ  Ｈａｇａ，“Ｆｉｎｇｅｒｐｒｉｎｔ  ｉｎｐｕｔ  ｂａｓｅｄ  ｏｎ  ｓｃａｔｔｅｒｅｄ‐ｌｉｇｈｔ  ｄｅｔｅｃｔｉｏｎ”，ＡＰＰＬＩＥＤ  ＯＰＴＩＣＳ，Ｖｏｌ．３６，Ｎｏ．３５，１９９７
【発明の概要】
【発明が解決しようとする課題】
【０００５】
しかし、非特許文献１に開示されている技術は、物体表面に存在する凹凸形状を効果的に取得するための技術である。このため、シリコンなどの素材を用いて指先および指紋が偽造された場合、非特許文献１に開示されている技術では、当該偽造を看過する可能性がある。
【０００６】
また、特許文献１に開示されている個人識別装置では、光源から照射される光の透過率パターンを用いて上記の指紋データおよび静脈データを取得している。このため、特許文献１に開示されている個人識別装置では、光源と撮像手段とを指を挟んでそれぞれ反対側に配置することが求められ、装置を小型化することが困難である。
【０００７】
そこで、本開示では、より小型化された筐体で生体認証に用いる複数の身体的特徴を取得することが可能な、新規かつ改良された撮像装置を提案する。
【課題を解決するための手段】
【０００８】
本開示によれば、少なくとも２つの異なる波長帯に属する光を照射する光源と、前記２つの異なる波長帯に属する光から個別に信号を取得する撮像素子と、を備え、前記２つの異なる波長帯は、皮膚紋理認証に用いられる４００〜５８０ｎｍの第１の波長帯と、静脈認証に用いられる６５０ｎｍ以上の主に近赤外線を含む第２の波長帯とを含む、撮像装置が提供される。
【発明の効果】
【０００９】
以上説明したように本開示によれば、より小型化された筐体で生体認証に用いる複数の身体的特徴を取得することが可能となる。
【００１０】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の第１の実施形態に係る撮像装置を用いた生体認証の概要について説明するための図である。
【図２】同実施形態に係る静脈パターンの撮像について説明するための図である。
【図３】同実施形態に係る発光部の構成図である。
【図４】同実施形態に係る撮像素子の構成図である。
【図５】本開示の第２の実施形態に係る発光部の構成図である。
【図６】本開示の第３の実施形態に係る撮像素子の構成図である。
【図７】本開示の第４の実施形態に係る撮像素子の構成図である。
【図８】本開示の第５の実施形態に係る撮像素子の構成図である。
【図９】同実施形態に係るＢｋ−ＯＣＣＦの透過率Ｔと波長との関係を示す図である。
【図１０】同実施形態に係る誘電多層膜の透過率Ｔと波長との関係を示す図である。
【図１１】本開示の第６の実施形態に係る接写型の撮像装置を説明するための図である。
【図１２】同実施形態に係る遮光膜を備える遮光基板について説明するための図である。
【図１３】本開示の第７の実施形態に係るピンホールを備える撮像装置について説明するための図である。
【図１４】同実施形態に係る単一の結像レンズを備える撮像装置について説明するための図である。
【図１５】同実施形態に係る複数の結像レンズを備える撮像装置について説明するための図である。
【図１６】同実施形態に係る第１の光電変換部と第２の光電変換部とにそれぞれ光を集光する２種類の結像レンズについて説明するための図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．はじめに
１．１．本開示に係る撮像装置の概要
２．第１の実施形態
２．１．第１の実施形態に係る撮像装置１０の構成
２．２．第１の実施形態に係る光源１１０
２．３．第１の実施形態に係る撮像素子１２０
３．第２の実施形態
３．１．第２の実施形態に係る光源１１０
４．第３の実施形態
４．１．第３の実施形態に係る撮像素子１２０
５．第４の実施形態
５．１．第４の実施形態に係る撮像素子１２０
６．第５の実施形態
６．１．第５の実施形態に係る撮像素子１２０
７．第６の実施形態
７．１．第６の実施形態に係る接写型の撮像装置１０
８．第７の実施形態
８．１．第７の実施形態に係る結像レンズ型の撮像装置１０
９．まとめ
【００１４】
＜１．はじめに＞
（１．１．本開示に係る撮像装置の概要）
まず、本開示に係る第１の実施形態の概要について説明する。上述したように、近年では、人間の身体的特徴を用いた生体認証により個人を識別する技術が普及している。特に、撮像した指の指紋を記憶される個人データと比較することで個人識別を行う指紋認証は、多くの装置に採用され、広く製品化されている。
【００１５】
しかし、上記のような指紋認証は、撮像した指表面の凹凸パターンを識別に利用することから、上記の凹凸パターンがシリコンなどの素材により偽装された場合、当該偽造を看過する可能性がある。このため、一般的な指紋認証により個人を識別する装置では、十分なセキュリティ性を確保しているとは言い難い。
【００１６】
本開示に係る撮像装置は、上記の点に着目して発想されたものであり、皮膚表面における皮膚紋理パターンと皮膚内部における静脈パターンとを同時または時間差で撮像することを可能とする。
【００１７】
このため、本開示に係る撮像装置は、上記の皮膚紋理パターンおよび静脈パターンの撮像に、２つの異なる波長帯に属する光を用いることを特徴の一つとする。より具体的には、本開示に係る撮像装置は、皮膚紋理認証に用いられる４００〜５８０ｎｍの第１の波長帯に属する光と、静脈認証に用いられる６５０ｎｍ以上の主に近赤外線を含む第２の波長帯に属する光と、を照射する機能を有する。また、本開示に係る撮像装置は、被認証オブジェクトにより反射された上記の２つの異なる波長帯に属する光から個別に信号を取得する機能を有する。
【００１８】
本開示に係る撮像装置が有する上記の機能によれば、皮膚紋理認証と静脈認証との双方を用いた生体認証を行うことが可能となり、指紋の偽造を看過する可能性を排除し、よりセキュアな生体認証を実現することができる。また、被認証オブジェクトからの反射光に基づく撮像を行うことで、撮像装置の筐体をより小型化することが可能となる。以下における実施形態の説明では、本開示に係る撮像装置が有する構造上の特徴、および当該特徴が奏する効果について、具体的に説明する。
【００１９】
＜２．第１の実施形態＞
（２．１．第１の実施形態に係る撮像装置１０の構成）
次に、本開示の第１の実施形態について説明する。図１は、本実施形態に係る撮像装置１０を用いた生体認証の概要について説明するための図である。図１には、被認証オブジェクトＡＯと、本実施形態に係る撮像装置１０が示されている。なお、図１においては、被認証オブジェクトＡＯが人間の指である場合の例が示されている。すなわち、図１に示す一例は、本実施形態に係る撮像装置１０が指表面の指紋パターンと指先の静脈パターンとを撮像する場合を示している。
【００２０】
一方、本実施形態に係る被認証オブジェクトＡＯは、図１に示す例に限定されない。本実施形態に係る被認証オブジェクトは、例えば、掌であってもよい。被認証オブジェクトが掌である場合、本実施形態に係る撮像装置１０は、掌表面の掌紋パターンと掌の静脈パターンとを撮像することが可能である。このように、本実施形態に係る皮膚紋理パターンは、指紋や掌紋など、皮膚表面における種々の紋様を含んでよい。
【００２１】
図１を参照すると、本実施形態に係る撮像装置１０は、光源１１０と撮像素子１２０とを備える。また、本実施形態に係る光源１１０は、発光部１１１を備える。ここで、発光部１１１は、上記の第１の波長帯に属する光と第２の波長帯に属する光とを照射する機能を有する。図１では、発光部１１１が第１の波長帯に属する光ｒ１と、第２の波長帯に属する光ｒ２と、を照射する様子が示されている。
【００２２】
ここで、第１の波長帯に属する光ｒ１は、皮膚紋理認証に用いられる４００〜５８０ｎｍの光であってよい。例えば、非特許文献１に記載されるように、一般的に、皮膚表面の散乱係数やメラニン色素のモル吸光係数は、光の波長に依存することが知られている。具体的には、上記の散乱係数やモル吸光係数は、波長が長くなるほど特性が小さくなる傾向がある。このため、長波長の光ほど散乱や吸収の影響が小さくなり、皮膚内部まで光が進入することとなる。すなわち、長波長の光を皮膚紋理の撮像に用いる場合、皮膚内部まで進入した光が皮膚内部の組織により反射されるため、撮影時のバックグラウンド光となってしまい、解像度劣化の要因となり得る。このため、皮膚紋理の撮像には、短波長の光が有効である。
【００２３】
以上のことから、本実施形態では、４００〜５８０ｎｍの主に青〜緑の可視光を撮像に用いることで、より解像度の高い皮膚紋理パターンを得ることが可能である。なお、解像度の観点からは、紫外線を用いることも可能であるが、紫外線を用いる場合、皮膚へのダメージが懸念される。このため、本実施形態では、主に青〜緑の可視光を採用することで、皮膚への影響を低減することが可能である。
【００２４】
また、第２の波長帯に属する光ｒ２は、静脈認証に用いられる６５０ｎｍ以上の主に近赤外線を含む光であってよい。一般に、静脈は、皮膚表面から〜２ｍｍの深さに存在する血管である。このため、短波長の光では、上述した拡散や吸収の影響により皮膚内部まで進入することが困難である。そこで、本実施形態では、６５０ｎｍ以上の主に近赤外線を含む光を用いることで、静脈パターンの撮像を可能とする。
【００２５】
図２は、本実施形態に係る静脈パターンの撮像について説明するための図である。図２には、被認証オブジェクトＡＯの内部構造を示す概念図と本実施形態に係る光源１１０とが示されている。図２に示すように、光源１１０から照射される第２の波長帯に属する光
ｒ２は、被認証オブジェクトＡＯの内部に進入し、静脈Ｖにより反射される。
【００２６】
再び、図１に戻って説明を続ける。以上説明したように、本実施形態に係る発光部１１１は、皮膚紋理パターンの撮像に有効な第１の波長帯に属する光ｒ１と、静脈パターンの撮像に有効な第２の波長帯に属する光ｒ２と、を照射することができる。また、図１に示すように、第１の波長帯に属する光ｒ１は被認証オブジェクトＡＯの皮膚表面で反射され、第２の波長帯に属する光ｒ２は被認証オブジェクトＡＯの皮膚内部で反射される。
【００２７】
なお、図１に示す一例では、発光部１１１から照射される第１の波長帯に属する光ｒ１、および第２の波長帯に属する光ｒ２が直線の矢印で示されており、被認証オブジェクトＡＯにより反射されるそれぞれの光線が点線の矢印で示されている。以下同様に、本開示の図面における直線の矢印は、発光部１１１から照射される第１の波長帯に属する光ｒ１、または第２の波長帯に属する光ｒ２を示し、点線の矢印は被認証オブジェクトＡＯからの反射光を示すものとして説明する。
【００２８】
続いて、本実施形態に係る撮像素子１２０の概要について説明する。本実施形態に係る撮像素子１２０は、２つの異なる波長帯に属する光から個別に信号を取得する機能を有する。すなわち、本実施形態に係る撮像素子１２０は、第１の波長帯に属する光ｒ１と、第２の波長帯に属する光ｒ２とから、別々に信号を取得することが可能である。このように、本実施系形態に係る発光部１１１が２つの異なる波長帯に属する光を照射し、また、撮像素子１２０が、上記の２つの異なる波長帯に属する光から個別に信号を取得することで、皮膚紋理パターンと静脈パターンとを同時に撮像することが可能となる。
【００２９】
また、本実施形態に係る撮像素子は、発光部１１１から照射され、被認証オブジェクトＡＯにより反射される光から信号を取得することを特徴の一つとする。すなわち、本実施形態に係る光源１１０と撮像素子１２０とは、被認証オブジェクトＡＯに対し同一側に配置されてよい。
【００３０】
上述したように、特許文献１に開示されている個人識別装置では、光源から照射される光の透過率パターンを用いて認証を行うため、光源と撮像手段とを被認証オブジェクトを挟んでそれぞれ反対側に配置することが求められる。一方、本実施形態に係る撮像素子１２０は被認証オブジェクトＡＯからの反射光に基づく撮像を行うため、光源１１０と撮像素子１２０とを被認証オブジェクトＡＯに対し同一側に配置することができ、撮像装置１０の筐体をより小型化することが可能である。このため、本実施形態に係る撮像装置１０は、例えば、スマートフォンやタブレット、ＰＣ（Ｐｅｒｓｏｎａｌ  Ｃｏｍｐｕｔｅｒ）などの情報処理端末に適用することも可能である。
【００３１】
以上、本実施形態に係る撮像装置１０の構成例について説明した。上記の説明では、撮像装置１０が光源１１０および撮像素子１２０を備える場合を例に説明したが、本実施形態に係る撮像装置１０の構成は係る例に限定されない。本実施形態に係る撮像素子は、図１に示す以外の構成をさらに備えてもよい。本実施形態に係る撮像素子は、例えば、個人ごとの皮膚紋理パターンおよび静脈パターンを記憶する記憶部や、撮像画像と記憶データとを比較することで個人認証を行う認証部などをさらに備えてもよい。本実施形態に係る撮像装置１０の構成は、仕様や運用などにより柔軟に変更され得る。
【００３２】
（２．２．第１の実施形態に係る光源１１０）
次に、本開示の第１の実施形態に係る光源１１０について詳細に説明する。上述したように、本実施形態に係る光源１１０は、皮膚紋理パターンの撮像に有効な第１の波長帯に属する光ｒ１と、静脈パターンの撮像に有効な第２の波長帯に属する光ｒ２と、を照射する機能を有する。以下、上記の機能を実現するための光源１１０の構成について詳細に説明する。図３は、本実施形態に係る発光部１１１の構成図である。本実施形態に係る光源１１０は、図３に示すような発光部１１１を少なくとも１つ以上備えてよい。
【００３３】
図３を参照すると、本実施形態に係る発光部１１１は、基板１１２、発光素子１１３、電極１１４、および透明材料１１５を備える。また、透明材料１１５の内部には、複数の発光体１１６が封入される。
【００３４】
ここで、基板１１２は、発光素子１１３、電極１１４、および透明材料１１５を配置するための土台としての機能を有する。
【００３５】
また、発光素子１１３は、４００〜５８０ｎｍの第１の波長帯に属する光ｒ１を照射するＬＥＤ（Ｌｉｇｈｔ  Ｅｍｉｔｔｉｎｇ  Ｄｉｏｄｅ）またはＥＬ（Ｅｌｅｃｔｒｏ−Ｌｕｍｉｎｅｓｃｅｎｃｅ）などにより実現され得る。本実施形態に係る発光素子１１３には、例えば、ＧａＩｎＮ系、ＺｎＭｇＣｄＳｅ系、またはＺｎＩｎＯ系などの材料が用いられてもよい。
【００３６】
また、電極１１４は、発光素子１１３を発光させるための電力を供給する機能を有する。電極１１４は、アノードやカソードなどにより構成されてよい。
【００３７】
また、透明材料１１５は、発光体１１６を封入するための構成である。本実施形態に係る透明材料１１５には、例えば、透明樹脂やガラスなどの素材が用いられてよい。
【００３８】
また、発光体１１６は、発光素子１１３から発せられる光により励起され、６５０ｎｍ以上の主に近赤外線を含む第２の波長帯に属する光ｒ２を発光する特性を有する。本実施形態に係る発光体１１６は、上記の特性を有する近赤外線蛍光体、燐光材料、または量子ドットなどにより実現され得る。本実施形態に係る発光体１１６には、例えば、希土類イオンＹｂ３＋、Ｔｍ３＋、Ｎｄ３＋などを発光中心に備えるＺｎＳなどの蛍光体が用いられてもよい。また、本実施形態に係る発光体１１６には、例えば、ＧａＡｓ、ＩｎＧａＡｓなどの量子ドットを用いることも可能である。
【００３９】
以上、本実施形態に係る発光部１１１の構成について説明した。上述したように、本実施形態に係る発光部１１１は、４００〜５８０ｎｍの第１の波長帯に属する光ｒ１を照射する発光素子１１３を備える。また、本実施形態に係る発光部１１１は、発光素子１１３から発せられる光により励起され、６５０ｎｍ以上の主に近赤外線を含む第２の波長帯に属する光ｒ２を発光する発光体１１６を備えることを特徴の一つとする。
【００４０】
すなわち、本実施形態に係る光源１１０は、上記のような発光部１１１を少なくとも１つ以上備えることで、第１の波長帯に属する光と第２の波長帯に属する光とを同時に照射することが可能である。このため、本実施形態による光源１１０によれば、撮像素子１２０が皮膚紋理パターンと静脈パターンとを同時に撮像すること可能となり、よりセキュアな生体認証を実現することができる。
【００４１】
（２．３．第１の実施形態に係る撮像素子１２０）
次に、本開示の第１の実施形態に係る撮像素子１２０について詳細に説明する。上述したように、本実施形態に係る撮像素子１２０は、第１の波長帯に属する光と第２の波長帯に属する光から、個別に信号を取得する機能を有する。以下、上記の機能を実現するための撮像素子１２０の構成について詳細に説明する。図４は、本実施形態に係る撮像素子１２０の構成図である。
【００４２】
図４を参照すると、本実施形態に係る撮像素子１２０は、第１の光電変換部１２１、第２の光電変換部１２２、カラーフィルタ１２３、誘電多層膜１２４、およびＶＧ（Ｖｅｒｔｉｃａｌ  Ｇａｔｅ）１２５を備える。
【００４３】
ここで、第１の光電変換部１２１は、第１の波長帯に属する光ｒ１を電気信号に変換する機能を有する。本実施形態に係る第１の光電変換部１２１は、例えば、４００〜５８０ｎｍの青〜緑色光に感度を持つＰＤ（Ｐｈｏｔｏ  Ｄｉｏｄｅ）により実現され得る。すなわち、本実施形態に係る第１の光電変換部１２１は、被認証オブジェクトにより反射された第１の波長帯に属する光ｒ１を電気信号に変換することで、皮膚紋理パターンの撮像を可能とする。
【００４４】
また、第２の光電変換部１２２は、第２の波長帯に属する光ｒ２を電気信号に変換する機能を有する。本実施形態に係る第２の光電変換部１２２は、例えば、６５０ｎｍ以上の主に近赤外光に感度を持つＰＤ（Ｐｈｏｔｏ  Ｄｉｏｄｅ）により実現され得る。すなわち、本実施形態に係る第２の光電変換部１２２は、被認証オブジェクトにより反射された第２の波長帯に属する光ｒ２を電気信号に変換することで、静脈パターンの撮像を可能とする。
【００４５】
また、本実施形態に係る撮像素子１２０は、第１の光電変換部１２１の上部にカラーフィルタ１２３を備えてもよい。本実施形態に係るカラーフィルタ１２３には、例えば、Ｂ−ＯＣＣＦ（Ｏｎ  Ｃｈｉｐ  Ｃｏｌｏｒ  Ｆｉｌｔｅｒ）、Ｂ〜Ｇ−ＯＣＣＦ、またはＧ−ＯＣＣＦなどが用いられてよい。本実施形態に係るカラーフィルタ１２３によれば、４００〜５８０ｎｍの青〜緑色光と、６５０ｎｍ以上の主に近赤外光とのみを透過させることが可能となり、より解像度が高い画像を取得することが可能となる。
【００４６】
また、本実施形態に係る撮像素子１２０は、誘電多層膜１２４を備えてもよい。ここで、本実施形態に係る誘電多層膜１２４は、４００〜５８０ｎｍの青〜緑色光を反射し、６５０ｎｍ以上の主に近赤外光を透過させる特性を有する。また、本実施形態に係る誘電多層膜１２４は、図４に示すように、第１の光電変換部１２１と第２の光電変換部１２２との間に配置される。本実施形態に係る誘電多層膜１２４が上記のように配置されることで、第１の光電変換部１２１を透過した第１の波長帯に属する光ｒ１を反射することが可能となり、第１の光電変換部１２１の感度をより高めることができる。
【００４７】
また、本実施形態に係る撮像素子１２０は、図４に示すようにＶＧ１２５を備える。これにより、本実施形態に係る第１の光電変換部１２１は、ＶＧ１２５で信号を読み出すことができる。また、図４には示していないが、本実施形態に係る撮像素子１２０は、第２の光電変換部１２２に対応するＶＧ１２５をさらに備えてよい。この際、本実施形態に係る第２の光電変換部１２２は、ＦＤ（Ｆｌｏａｔｉｎｇ  Ｄｉｆｆｕｓｉｏｎ）を介して信号を読み出すことができる。
【００４８】
以上、本実施形態に係る撮像素子１２０の構成について詳細に説明した。図４に示したように、本実施形態に係る撮像素子１２０は、第１の光電変換部１２１および第２の光電変換部１２２を備えることを特徴の一つとする。
【００４９】
また、本実施形態に係る第１の光電変換部１２１および第２の光電変換部１２２は、図４に示すように、バルク内において、撮像面に対し垂直方向に積載されるよう配置される。また、この際、第２の光電変換部１２２は、第１の光電変換部よりも下部に配置される。本実施形態に係る撮像素子１２０によれば、第１の波長帯に属する光ｒ１と第２の波長帯に属する光ｒ２とを撮像面に対し垂直方向に分光することができ、皮膚紋理パターンと静脈パターンとを同時に撮像することが可能となる。
【００５０】
＜３．第２の実施形態＞
（３．１．第２の実施形態に係る光源１１０）
次に、本開示の第２の実施形態について説明する。上記における第１の実施形態の説明では、光源１１０の備える発光部１１１が、第１の波長帯に属する光を発光する発光素子１１３と、当該発光素子から発せられる光により励起され第２の波長帯に属する光を発光する発光体１１６とを備える場合について述べた。一方、本開示の第２の実施形態に係る光源１１０は、第１の波長帯に属する光を発光する発光部１１１ａと、第２の波長帯に属する光を発光する発光部１１１ｂとを備えてよい。
【００５１】
以下、本実施形態に係る光源１１０の構成について詳細に説明する。なお、以下における本実施形態の説明では、第１の実施形態との差異について中心に述べ、第１の実施形態と共通する構成および機能については、詳細な説明を省略する。
【００５２】
図５は、本実施形態に係る光源１１０が備える２つの発光部１１１ａおよび１１１ｂの構成を示す図である。ここで、本実施形態に係る発光部１１１ａは、４００〜５８０ｎｍの第１の波長帯に属する光ｒ１を照射する機能を有する。また、本実施形態に係る発光部１１１ａは、６５０ｎｍ以上の主に近赤外線を含む第２の波長帯に属する光ｒ２を照射する機能を有する。
【００５３】
図５を参照すると、本実施形態に係る発光部１１１ａは、基板１１２ａ、発光素子１１３ａ、電極１１４ａ、および透明材料１１５ａを備える。ここで、上記の各構成は、図３を用いて説明した第１の実施形態に係る発光部１１１が備える各構成と実質的に同一であってよいため、説明を省略する。
【００５４】
また、本実施形態に係る発光部１１１ｂは、基板１１２ｂ、発光素子１１３ｂ、電極１１４ｂ、および透明材料１１５ｂを備える。同様に、基板１１２ｂ、電極１１４ｂ、および透明材料１１５ｂは、図３を用いて説明した第１の実施形態に係る発光部１１１が備える各構成と実質的に同一であってよいため、説明を省略する。
【００５５】
ここで、本実施形態に係る発光素子１１３ｂは、６５０ｎｍ以上の第２の波長帯に属する光ｒ２を照射するＬＥＤまたはＥＬなどにより実現され得る。本実施形態に係る発光素子１１３ｂには、例えば、ＧａＡｓ系、またはＩｎＧａＡｓ系などの材料が用いられてもよい。
【００５６】
以上説明したように、本実施形態に係る光源１１０は、第１の波長帯に属する光ｒ１を照射する発光部１１１ａと第２の波長帯に属する光ｒ２を照射する発光部１１１ｂとを備えることを特徴の一つとする。このため、本実施形態の光源１１０によれば、第１の波長帯に属する光ｒ１と第２の波長帯に属する光ｒ２とを同時、または時間差で照射することができる。
【００５７】
特に、本実施形態に係る光源１１０が第１の波長帯に属する光ｒ１と第２の波長帯に属する光ｒ２とを時間差で照射する場合、本実施形態に係る撮像素子１２０は、第１の実施形態で説明したような分光機能を有していなくてもよい。このため、本実施形態に係る撮像素子１２０は、カラーフィルタや誘電多層膜を備えない構成を採用し、光の明暗差のみを記録する白黒画像を撮像してもよい。すなわち、本実施形態に係る撮像素子１２０には、単純な白黒ＣＩＳ（ＣＭＯＳ  Ｉｍａｇｅ  Ｓｅｎｓｏｒ）を採用することも可能である。この場合、撮像装置１０の製造コストを大幅に低減することができる。
【００５８】
また、光源１１０が第１の波長帯に属する光ｒ１と第２の波長帯に属する光ｒ２とを時間差で照射することで、実効的な画素数が増加し撮像画像の解像度が向上される効果も期待される。
【００５９】
＜４．第３の実施形態＞
（４．１．第３の実施形態に係る撮像素子１２０）
次に、本開示の第３の実施形態について説明する。上記における第１の実施形態の説明では、撮像素子１２０が、バルク内において、第１の波長帯に属する光ｒ１と第２の波長帯に属する光ｒ２とを、撮像面に対し垂直方向に分光する場合について述べた。一方、本開示の第３の実施形態に係る撮像素子１２０は、複数の基板から構成されることを特徴の一つとする。この際、第１の光電変換部１２１と第２の光電変換部１２２とは、それぞれ異なる基板上に配置されてよい。
【００６０】
以下、本実施形態に係る撮像素子１２０の構成について詳細に説明する。なお、以下における本実施形態の説明では、第１の実施形態との差異について中心に述べ、第１の実施形態と共通する構成および機能については、詳細な説明を省略する。
【００６１】
図６は、本実施系形態に係る撮像素子１２０の構成を示す図である。図６を参照すると、本実施形態に係る撮像素子１２０は、第１の光電変換部１２１、第２の光電変換部１２２、カラーフィルタ１２３、および誘電多層膜１２４を備える。
【００６２】
ここで、本実施形態に係る第１の光電変換部１２１と第２の光電変換部１２２とは、それぞれ異なる基板上に配置されてよい。図６に示すように、本実施形態に係る第１の光電変換部１２１は基板ｂ１上に配置され、第２の光電変換部１２２は基板ｂ２上に配置される。このように、本実施形態に係る撮像素子１２０は、第１の光電変換部１２１が配置される基板ｂ１と、第２の光電変換部１２２が配置される基板ｂ２とを貼り合わせることで形成されてよい。
【００６３】
また、この際、図６に示すように、基板ｂ１と基板ｂ２との間には、誘電多層膜１２４が配置されてよい。上記の位置に誘電多層膜１２４が配置されることで、第１の光電変換部１２１を透過した第１の波長帯に属する光ｒ１を反射することができ、第１の光電変換部１２１の感度を向上させることが可能となる。また、第１の実施形態と同様に、本実施形態に係る誘電多層膜１２４は、第２の波長帯に属する光ｒ２を透過させる特性を有する。また、図６には示していないが、本実施形態に係る撮像素子１２０は、第１の実施形態と同様に、ＶＧ１２５を備えてよい。
【００６４】
以上、本実施形態に係る撮像素子１２０の構成について説明した。図６を用いて説明したように、本実施形態に係る撮像素子１２０は、第１の光電変換部１２１を配置した基板ｂ１と第２の光電変換部１２２を配置した基板ｂ２とを撮像面に対し垂直方向に貼り合わせることで形成される。すなわち、本実施形態に係る第１の光電変換部１２１および第２の光電変換部１２２は、撮像面に対し垂直方向に積載される、といえる。
【００６５】
本実施形態に係る撮像素子１２０によれば、第１の波長帯に属する光ｒ１と第２の波長帯に属する光ｒ２とを垂直方向に分光し、皮膚紋理パターンおよび静脈パターンを同時または時間差で撮像することが可能となる。
【００６６】
なお、本実施形態に係る撮像素子１２０は、第２の実施形態に係る光源１１０と組み合わせて実現することも可能である。
【００６７】
＜５．第４の実施形態＞
（５．１．第４の実施形態に係る撮像素子１２０）
次に、本開示の第４の実施形態について説明する。上記における第１および第３の実施形態の説明では、撮像素子１２０が、第１の光電変換部１２１が４００〜５８０ｎｍの青〜緑色光に感度を持つＰＤにより実現される場合について述べた。一方、本開示の第４の実施形態に係る第１の光電変換部１２１は、有機光電変換膜により実現されることを特徴の一つとする。
【００６８】
以下、本実施形態に係る撮像素子１２０の構成について詳細に説明する。なお、以下における本実施形態の説明では、第１および第３の実施形態との差異について中心に述べ、第１および第３の実施形態と共通する構成および機能については、詳細な説明を省略する。
【００６９】
図７は、本実施系形態に係る撮像素子１２０の構成を示す図である。図７を参照すると、本実施形態に係る撮像素子１２０は、第１の光電変換部１２１、第２の光電変換部１２２、カラーフィルタ１２３、透明電極層１２６、およびプラグ１２７を備える。
【００７０】
上述したとおり、本実施形態に係る第１の光電変換部１２１は、４００〜５８０ｎｍの青〜緑色光に感度を持つ有機光電変換膜により実現される。この際、本実施形態に係る第１の光電変換部１２１には、例えば、４００〜５８０ｎｍの青〜緑色光に感度を持つフラーレンなどの材料が用いられてもよい。
【００７１】
また、本実施形態に係る撮像素子１２０は、図７に示すように、第１の光電変換部１２１隣接して配置される透明電極層１２６とプラグ１２７とを備える。上記の構成によれば、第１の光電変換部１２１からの信号を、透明電極層１２６およびプラグ１２７を介して読み出すことが可能となる。なお、本実施系地に係る透明電極層１２６には、例えば、ＩＴＯ（酸化インジウムスズ）など素材が用いられてよい。
【００７２】
また、図７には示していないが、本実施形態に係る第１の光電変換部１２１と第２の光電変換部１２２との間には、第１および第３の実施形態と同様に、誘電多層膜１２４が配置されてもよい。また、図７には示していないが、本実施形態に係る撮像素子１２０は、第１の実施形態と同様に、ＶＧ１２５を備えてよい。
【００７３】
以上、本実施形態に係る撮像素子１２０の構成について説明した。図７を用いて説明したように、本実施形態に係る第１の光電変換部１２１は、有機光電変換膜により実現される。また、本実施形態に係る第１の光電変換部１２１と第２の光電変換部１２２は、撮像面に対し垂直方向に積載されるように配置される。
【００７４】
本実施形態に係る撮像素子１２０によれば、第１の波長帯に属する光ｒ１と第２の波長帯に属する光ｒ２とを垂直方向に分光し、皮膚紋理パターンおよび静脈パターンを同時または時間差で撮像することが可能となる。
【００７５】
なお、本実施形態に係る撮像素子１２０は、第２の実施形態に係る光源１１０と組み合わせて実現することも可能である。
【００７６】
＜６．第５の実施形態＞
（６．１．第５の実施形態に係る撮像素子１２０）
次に、本開示の第５の実施形態について説明する。上記における第１、第３、および第４の実施形態の説明では、撮像素子１２０が、第１の波長帯に属する光ｒ１と第２の波長帯に属する光ｒ２とを撮像面に対し垂直方向に分光する場合について述べた。一方、本開示の第５の実施形態に係る撮像素子は、第１の波長帯に属する光ｒ１と第２の波長帯に属する光ｒ２とを撮像面に対し水平方向に分光することを特徴の一つとする。
【００７７】
以下、本実施形態に係る撮像素子１２０の構成について詳細に説明する。なお、以下における本実施形態の説明では、第１、第３、および第４の実施形態との差異について中心に述べ、第１、第３、および第４の実施形態と共通する構成および機能については、詳細な説明を省略する。
【００７８】
図８は、本実施形態に係る撮像素子１２０の構成を示す図である。図８を参照すると、本実施形態に係る撮像素子１２０は、第１の光電変換部１２１と、第２の光電変換部１２２と、カラーフィルタ１２３ａおよび１２３ｂと、誘電多層膜１２４と、遮光壁１２８とを備える。
【００７９】
上述したように、本実施形態に係る撮像素子１２０は、第１の波長帯に属する光ｒ１と第２の波長帯に属する光ｒ２とを撮像面に対し水平方向に分光する。このため、本実施形態に係る第１の光電変換部１２１と第２の光電変換部１２２とは、図８に示すように、撮像面に対し水平方向に配置されてよい。
【００８０】
また、本実施形態に係る撮像素子１２０は、第１、第３、および第４の実施形態とは異なり、２つのカラーフィルタ１２３ａおよび１２３ｂを備える。この際、本実施形態に係るカラーフィルタ１２３ａは、第１の光電変換部１２１の上部に、カラーフィルタ１２３ｂは、第２の光電変換部１２２の上部にそれぞれ配置される。
【００８１】
また、カラーフィルタ１２３ａは、第１、第３、および第４の実施形態と同様に、Ｂ−ＯＣＣＦ、Ｂ〜Ｇ−ＯＣＣＦ、またはＧ−ＯＣＣＦにより実現されてよい。一方、本実施形態に係るカラーフィルタ１２３ｂは、Ｂｋ（Ｂｌａｃｋ）−ＯＣＣＦにより実現され得る。
【００８２】
ここで、本実施形態に係るＢｋ−ＯＣＣＦは、４００〜５８０ｎｍの青〜緑色光を含む可視光を遮断し、６５０ｎｍ以上の主に近赤外光を透過させる特性を有するＯＣＣＦであってよい。図９は、本実施形態に係るＢｋ−ＯＣＣＦの透過率Ｔと波長との関係を示す図である。図９を参照すると、本実施形態に係るＢｋ−ＯＣＣＦは、６５０ｎｍ未満の波長の光をほぼ遮断することがわかる。一方、波長が８００ｎｍ以上である場合、本実施形態に係るＢｋ−ＯＣＣＦの透過率Ｔは０．５を超えており、波長が８５０ｎｍ以上である場合には、透過率Ｔは概ね０．９以上となることがわかる。
【００８３】
本実施形態に係る撮像素子１２０では、上記のようなＢｋ−ＯＣＣＦを用いたカラーフィルタ１２３ｂを第２の光電変換部１２２の上部に配置することで、第２の波長帯に属する光ｒ２を選択的に透過させることが可能となる。
【００８４】
また、本実施形態に係る誘電多層膜１２４は、カラーフィルタ１２３ａと第１の光電変換部１２１との間に配置される。この際、本実施形態に係る誘電多層膜１２４は、第１の波長帯に属する光ｒ１を透過させ、第２の波長帯に属する光ｒ２を反射する透過分光特性を有してよい。本実施形態に係る誘電多層膜１２４が上記の特性を有することで、カラーフィルタ１２３ａを透過した第２の波長帯に属する光ｒ２を、第１の光電変換部１２１に達する前に反射させることができる。
【００８５】
本実施形態に係る誘電多層膜１２４は、例えば、下記の表１に示す構成により実現され得る。
【００８６】
【表１】
2018033505.tif 000003
【００８７】
また、図１０は、上記の表１の構成を有する誘電多層膜１２４の透過率Ｔと波長との関係を示す図である。図１０を参照すると、本実施形態に係る誘電多層膜１２４において、４００〜５８０ｎｍの第１の波長帯に属する光ｒ１の透過率Ｔは概ね０．８を超えていることがわかる。一方、波長が６５０ｎｍを超えると透過率Ｔは急激に減少し、波長が７５０ｎｍ以上の場合には、透過率Ｔはほぼ０となることがわかる。
【００８８】
このように、本実施形態に係る誘電多層膜１２４によれば、第２の波長帯に属する光ｒ２を効果的に排除することが可能となる。
【００８９】
また、本実施形態に係る撮像素子１２０は、図８に示すように、遮光壁１２８を備えてもよい。本実施系形態に係る遮光壁１２８が第１の光電変換部１２１と第２の光電変換部１２２とを隔てるように配置されることで、第１の波長帯に属する光ｒ１と第２の波長帯に属する光ｒ２とが混合することを防ぐことができ、撮像画像の解像度を高く保つことが可能となる。
【００９０】
以上、本実施形態に係る撮像素子１２０の構成について説明した。図８を用いて説明したように、本実施形態に係る第１の光電変換部１２１と第２の光電変換部１２２とは、撮像面に対して水平方向に配置されることを特徴の一つとする。
【００９１】
本実施形態に係る撮像素子１２０によれば、第１の波長帯に属する光ｒ１と第２の波長帯に属する光ｒ２とを水平方向に分光し、皮膚紋理パターンおよび静脈パターンを同時または時間差で撮像することが可能となる。
【００９２】
＜７．第６の実施形態＞
（７．１．第６の実施形態に係る接写型の撮像装置１０）
次に、本開示の第６の実施形態について説明する。本開示の第６の実施形態に係る撮像装置１０は、第１〜第５の実施形態において説明した光源１１０および撮像素子１２０を備える、接写型の撮像装置であってよい。図１１は、本実施形態に係る接写型の撮像装置１０を説明するための図である。
【００９３】
図１１を参照すると、本実施形態に係る接写型の撮像装置１０は、第１〜第５の実施形態で説明した光源１１０（図示しない）、撮像素子１２０に加え、透明基板１３０をさらに備える。
【００９４】
本実施形態に係る透明基板１３０は、撮像素子１２０と被認証オブジェクトＡＯとの間に配置されることを特徴の一つとする。また、本実施形態に係る透明基板１３０には、例えば、ガラスや透明樹脂などが用いられてもよい。本実施形態に係る接写型の撮像装置１０では、図１１に示すように、透明基板１３０の上面に被認証オブジェクトＡＯを直接置くことで、皮膚紋理パターンおよび静脈パターンを同時または時間差で撮像することが可能である。なお、図１１以降においては、光源１１０が示されていないが、実際には、光源１１０は、被認証オブジェクトＡＯに対し、撮像素子１２０と同一側に配置される。すなわち、光源１１０は、撮像素子１２０の水平方向から被認証オブジェクトＡＯに対し、第１の波長帯に属する光ｒ１および第２の波長帯に属する光ｒ２を照射する。
【００９５】
なお、図１１では、撮像素子１２０の構造が簡易的に示されている。図１１に示す一例においては、撮像素子１２０の内部に複数のＰＤ（Ｐｈｏｔｏ  Ｄｉｏｄｅ）が示されているが、当該複数のＰＤは、第１、第３〜５の実施形態において説明した第１の光電変換部１２１または第２の光電変換部１２２にそれぞれ該当してよい。すなわち、本実施形態に係る撮像素子１２０の詳細な構成は、第１、第３〜５の実施形態において説明したいずれかの撮像素子１２０の構成に準拠する。
【００９６】
また、本実施形態に係る接写型の撮像装置１０が、第２の実施形態において説明したような２つの発光部１１１ａおよび１１１ｂを備える場合においては、本実施形態に係る撮像素子は、カラーフィルタを備えない白黒ＣＩＳであってもよい。
【００９７】
また、本実施形態に係る接写型の撮像装置１０では、透明基板１３０が遮光膜１３１を備えてもよい。図１２は、本実施形態に係る透明基板１３０が遮光膜１３１を備える場合の撮像装置１０を説明するための図である。
【００９８】
図１２に示すように、本実施形態に係る透明基板１３０は、複数の遮光膜１３１を備えており、遮光膜１３１は、撮像素子１２０の撮像面に対し垂直方向に配置される。本実施形態に係る透明基板１３０が図１２に示すような遮光膜１３１を備えることで、周囲から進入する迷光を遮断し、撮像画像の解像度を高く保つ効果が期待される。
【００９９】
＜８．第７の実施形態＞
（８．１．第７の実施形態に係る結像レンズ型の撮像装置１０）
次に、本開示の第７の実施形態について説明する。本開示の第７の実施形態に係る撮像装置１０は、第１〜第５の実施形態において説明した光源１１０および撮像素子１２０を備える、結像レンズ型の撮像装置であってよい。すなわち、本実施形態に係る結像レンジ型の撮像装置１０は、第６の実施形態において説明した接写型の撮像装置１０とは異なり、第１の波長帯に属する光ｒ１および第２の波長帯に属する光ｒ２を撮像素子１２０に集光するための集光手段を備えてよい。本実施形態に係る集光手段は、例えば、ピンホールや結像レンズであってよい。
【０１００】
なお、以下における本実施形態の説明では、第６の実施形態との差異について中心に述べ、第６の実施形態と共通する構成および効果については、詳細な説明を省略する。
【０１０１】
図１３は、本実施形態に係るピンホールを備える撮像装置１０について説明するための図である。図１３を参照すると、本実施形態に係るピンホールを備える撮像装置１０は、光源１１０（図示しない）、撮像素子１２０、および透明基板１３０を備える。
【０１０２】
ここで、本実施形態に係る透明基板１３０は、図１２に示した場合と同様に遮光膜１３１を備えてよい。一方、本実施形態に係る遮光膜１３１は、撮像面に対し水平方向にも配置され、当該水平方向に配置される遮光膜１３１は、少なくとも１つ以上のピンホール１３２を有することを特徴の一つとする。
【０１０３】
また、図１３に示すように、本実施形態に係る撮像装置１０では、複数のＰＤに対応するピンホール１３２が、少なくとも１つ以上形成されてもよい。本実施形態に係るピンホール１３２が上記のように形成されることで、第１の波長帯に属する光ｒ１と第２の波長帯に属する光ｒ２とを、撮像素子１２０に効果的に集光することが可能となる。
【０１０４】
次に、本実施形態に係る単一の結像レンズを備える撮像装置１０について説明する。図１４を参照すると、本実施形態に係る単一の結像レンズを備える撮像装置１０は、光源１１０（図示しない）、撮像素子１２０、透明基板１３０、および単一の結像レンズ１４０を備える。
【０１０５】
ここで、本実施形態に係る結像レンズ１４０は、図１４に示すように、撮像素子１２０と透明基板１３０との間に配置される。このように、撮像装置１０が単一の結像レンズ１４０を備えることで、第１の波長帯に属する光ｒ１と第２の波長帯に属する光ｒ２とを同一の光学条件で撮像素子１２０に集光することが可能となり、撮像画像の解像度をさらに向上させる効果が期待される。
【０１０６】
一方、本実施形態に係る撮像装置１０は、複数の結像レンズ１４０を備えてもよい。図１５は、本実施形態に係る複数の結像レンズ１４０を備える撮像装置１０について説明するための図である。
【０１０７】
図１５を参照すると、本実施形態に係る複数の結像レンズ１４０を備える撮像装置１０は、光源１１０（図示しない）、撮像素子１２０、透明基板１３０、および複数の結像レンズ１４０を備える。
【０１０８】
ここで、複数の結像レンズ１４０は、図１４に示した例と同様に、撮像素子１２０と透明基板１３０との間に配置される。また、図１５に示すように、本実施形態に係る撮像装置１０では、複数のＰＤに対応する結像レンズ１４０が、少なくとも１つ以上配置されてもよい。さらに、この際、結像レンズ１４０の間には、遮光膜１３１が配置されてもよい。上記のような構成によれば、周囲からの迷光を遮断し、ＰＤの感度や撮像画像の解像度を向上させるとともに、それぞれの結像レンズ１４０の厚さを抑えることができ、撮像装置１０をより低背化することが可能となる。
【０１０９】
また、撮像装置１０が第５の実施形態において説明した水平方向に分光を行う撮像素子を備える場合、本実施形態に係る撮像装置１０は、第１の光電変換部１２１と第２の光電変換部１２２とにそれぞれ光を集光する２種類の結像レンズ１４０ａおよび１４０ｂを備えてもよい。
【０１１０】
図１６は、第１の光電変換部１２１と第２の光電変換部１２２とにそれぞれ光を集光する２種類の結像レンズ１４０ａおよび１４０ｂについて説明するための図である。図１６を参照すると、撮像装置１０は、第１の光電変換部１２１に第１の波長帯に属する光ｒ１を集光する第１の結像レンズ１４０ａと、第２の光電変換部１２２に第２の波長帯に属する光ｒ２を集光する第２の結像レンズ１４０ｂと、を備えている。
【０１１１】
ここで、第１の結像レンズ１４０ａと第２の結像レンズ１４０ｂとは、互いに異なる光学的特徴を有してよい。上記の光学的特徴は、例えば、厚みを含むレンズの形状や素材などにより変化し得る。本実施形態に係る第１の結像レンズ１４０ａと第２の結像レンズ１４０ｂとが異なる光学的特徴を有することで、第１の光電変換部１２１と皮膚紋理との距離、および第２の光電変換部１２２と静脈との距離の差を吸収し、より鮮明な画像を撮像することが可能となる。
【０１１２】
＜９．まとめ＞
以上説明したように、本開示に係る撮像装置１０は、異なる２つの波長帯に属する光を照射する光源１１０を備える。光源１１０は、皮膚紋理認証に用いられる４００〜５８０ｎｍの第１の波長帯に属する光ｒ１と、静脈認証に用いられる６５０ｎｍ以上の主に近赤外線を含む第２の波長帯に属する光ｒ２とを照射する機能を有する。また、本開示に係る撮像装置１０は、第１の波長帯に属する光ｒ１と第２の波長帯に属する光ｒ２とを分光し、それぞれの光から個別に信号を取得する撮像素子１２０を備える。係る構成によれば、より小型化された筐体で生体認証に用いる複数の身体的特徴を取得することが可能となる
【０１１３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１１５】
なお、以下のような構成も本開示の技術的範囲に属する。
（１）
少なくとも２つの異なる波長帯に属する光を照射する光源と、
前記２つの異なる波長帯に属する光から個別に信号を取得する撮像素子と、
を備え、
前記２つの異なる波長帯は、皮膚紋理認証に用いられる４００〜５８０ｎｍの第１の波長帯と、静脈認証に用いられる６５０ｎｍ以上の主に近赤外線を含む第２の波長帯とを含む、
撮像装置。
（２）
前記撮像素子は、前記光源から照射され、被認証オブジェクトにより反射される光から信号を取得する、
前記（１）に記載の撮像装置。
（３）
前記光源と前記撮像素子とは、被認証オブジェクトに対し同一側に配置される、
前記（１）または（２）に記載の撮像装置。
（４）
前記光源は、前記第１の波長帯に属する光と前記第２の波長帯に属する光を同時に照射する、
前記（１）〜（３）のいずれかに記載の撮像装置。
（５）
前記光源は、前記第１の波長帯に属する光を発光する発光素子と、
前記発光素子から発せられる光により励起され前記第２の波長帯に属する光を発光する発光体と、
を有する、
前記（１）〜（４）のいずれかに記載の撮像装置。
（６）
前記光源は、前記第１の波長帯に属する光と前記第２の波長帯に属する光とを時間差で照射する、
前記（１）〜（３）のいずれかに記載の撮像装置。
（７）
前記撮像素子は、カラーフィルタもしくは誘電多層膜のいずれか、または双方を備えない、
前記（６）に記載の撮像装置。
（８）
前記撮像素子は、第１の光電変換部と第２の光電変換部とを備え、
前記第１の光電変換部は、前記第１の波長帯に属する光を電気信号に変換し、
前記第２の光電変換部は、前記第２の波長帯に属する光を電気信号に変換する、
前記（１）〜（５）のいずれかに記載の撮像装置。
（９）
前記第１の光電変換部および前記第２の光電変換部は、撮像面に対し垂直方向に積載される、
前記（８）に記載の撮像装置。
（１０）
前記第１の光電変換部および前記第２の光電変換部は、撮像面に対し水平方向に配置される、
前記（８）に記載の撮像装置。
（１１）
前記第１の光電変換部に光を集光する第１の結像レンズと、
前記第２の光電変換部に光を集光する第２の結像レンズと、
をさらに備え、
前記第１の結像レンズと前記第２の結像レンズは、互いに異なる光学的特徴を有する、
前記（１０）に記載の撮像装置。
（１２）
前記撮像素子と被認証オブジェクトとの間に配置される透明基板、
をさらに備える、
前記（１）〜（１１）のいずれかに記載の撮像装置。
（１３）
前記透明基板は、少なくとも１つ以上の遮光膜を備え、
前記遮光膜は、前記撮像素子の撮像面に対し垂直方向に配置される、
前記（１２）に記載の撮像装置。
（１４）
前記遮光膜は、前記撮像面に対し水平方向に配置され、
前記水平方向に配置される遮光膜は、少なくとも１つ以上のピンホールを有する、
前記（１３）に記載の撮像装置。
（１５）
前記撮像素子に結像する少なくとも１つ以上の結像レンズ、
をさらに備え、
前記結像レンズは、前記撮像素子と前記透明基板の間に配置される、
前記（１２）または（１３）に記載の撮像装置。
【符号の説明】
【０１１６】
１０      撮像装置
１１０    光源
１１１    発光部
１１３    発光素子
１１６    発光体
１２０    撮像素子
１２１    第１の光電変換部
１２２    第２の光電変換部
１２３    カラーフィルタ
１２４    誘電多層膜
１３０    透明基板
１３１    遮光膜
１３２    ピンホール
１４０    結像レンズ
１４０ａ  第１の結像レンズ
１４０ｂ  第２の結像レンズ
【図１】
2018033505.tif 000004
【図２】
2018033505.tif 000005
【図３】
2018033505.tif 000006
【図４】
2018033505.tif 000007
【図５】
2018033505.tif 000008
【図６】
2018033505.tif 000009
【図７】
2018033505.tif 000010
【図８】
2018033505.tif 000011
【図９】
2018033505.tif 000012
【図１０】
2018033505.tif 000013
【図１１】
2018033505.tif 000014
【図１２】
2018033505.tif 000015
【図１３】
2018033505.tif 000016
【図１４】
2018033505.tif 000017
【図１５】
2018033505.tif 000018
【図１６】
2018033505.tif 000019